(57)【要約】【課題】かばん用ダイヤル錠の鎖錠か解錠かの状態を簡単な構成で標示する装置を得る。【解決手段】図はかばん本体の内側に取り付けられたロック部外箱６１内のダイヤル錠２０とシグナル４０の配列を示す断面図であって、図の下方がかばんの外側方向になる。ダイヤル２１と、ブラケット６２、６３の間に支持されているダイヤル軸２２の間に、ダイヤルの特定の数字に対応する位置に切り欠き２４を有するスペーサ２３が介在している。暗証番号によるダイヤル２１の数字の特定の配列にすればスペーサ２３の切り欠き２４が一列に揃い、ボルト用ばね３４に付勢されたボルト３０がスペーサの切り欠きと係合するため、ダイヤル側に揺動する。ボルト３０の揺動によって隣接するシグナル４０も揺動し、その標示部４２の標示面４１の位置も変動し、ダイヤル錠の状態を標示する。【選択図】　　図３
2004100323.tif 000002
【特許請求の範囲】
【請求項１】
かばん用ダイヤル錠の標示装置において、
ダイヤル錠のダイヤルとダイヤル軸との間に、ダイヤルとの係合と分離が可能であって、常時はダイヤルとともに回転するスペーサーを介在させ、
スペーサーの円周上の所定の位置に切り欠きを形成し、
すべてのスペーサーの切り欠きが揃ったとき、ダイヤル方向に付勢されているボルトがその切り欠きと係合することができ、
このボルトの動きによって錠前を閉鎖、解放するとともに直接シグナルも回動させ、錠前の状態を標示するように構成されていることを特徴とするかばん用ダイヤル錠の標示装置。
【発明の詳細な説明】
【０００１】
【発明の属する技術分野】
この発明はかばんに用いられるダイヤル錠が閉鎖状態にあるのか、解放状態にあるのかを標示する標示装置に関する。
【０００２】
【従来の技術と課題】
旅行用などの大型のかばん類では、センターロックとサイドロックを備え、センターロックを解錠状態にしたときサイドロックを解放して蓋を開けることができるように構成することが従来行われてきた。特にセンターロックがダイヤル錠である場合、鎖錠か解錠かの状態を標示する装置が従来なかった為に、その状態を知ることが困難であった。
【０００３】
この鎖錠、解錠の状態を明確にする為には別部品を必要としたり、構造が複雑になるなどの不具合を免れなかった。この発明では、ダイヤル錠の作動を利用して直接シグナルを操作し、簡単な構成でダイヤル錠の標示装置を得ようとするものである。
【０００４】
【課題を解決するための手段】
この発明は前記の課題を解決するために、ダイヤル錠のダイヤルとダイヤル軸との間に、ダイヤルとの係合と分離が可能であって、常時はダイヤルとともに回転するスペーサーを介在させ、スペーサーの円周上の所定の位置に切り欠けを形成し、すべてのスペーサーの切り欠けが揃ったとき、ダイヤル方向に付勢されているボルトがその切り欠けと係合することができ、このボルトの動きによって錠前を閉鎖、解放するとともに直接シグナルも回動させ、錠前の状態を標示するように構成されていることを特徴とするかばん用ダイヤル錠の標示装置を得たものである。
【０００５】
【実施例】
図１はこの発明のダイヤル錠の標示装置を有するかばん１０の正面図であって、１はかばん本体、２は蓋、３はかばん正面のハンドル、４はかばん１０を移動させるためのキャスタ、５はキャスタ４で移動するときに使用するハンドル、６はセンターロック部、７はサイドロックをそれぞれ示し、センターロックとしてこの発明ではダイヤル錠を使用しており、２１はダイヤル錠のダイヤルである。
【０００６】
センターロックであるダイヤル錠に連動してサイドロック７が鎖錠又は解錠される。かばん１０の蓋２をあけるには、センターロックであるダイヤル錠を解錠し、サイドロック７のプッシュレバー７１を押してサイドロックを開ければよい。８はこの発明の標示装置によって、ダイヤル錠が鎖錠と解錠とのどちらの状態にあるかを標示する窓である。
【０００７】
図２はダイヤル錠２０と標示装置の配置状態を示す上面図、図３は図２のＡ−Ａ断面図、図４は同じくＢ−Ｂ断面図、図５は同じくＣ−Ｃ断面図をそれぞれ示している。
【０００８】
ダイヤル錠２０はダイヤル２１（図示の例では４個）とダイヤル軸２２の間に常時はダイヤル２１と係合しているスペーサ２３が介在し、ボルト３０がボルト用ばね３４によってダイヤル方向に付勢されているという構造になっている。ダイヤル２１とスペーサ２３とは例えば突起と溝のような適当な構成で常時は回転方向には係合されていて、軸方向には動きうるようになっている。ダイヤル軸２２とスペーサ２３とは何ら拘束されていない。
【０００９】
スペーサ２３はダイヤル２１の特定の数字に対応する位置に切り欠き２４が形成されていて、暗証番号となっている数字の配列となるようにダイヤルを廻すと、スペーサの切り欠きも一列に揃って、図３、図５に示すように、ボルト用ばね３４でダイヤル方向に付勢されているボルト３０がその屈曲部３３において、その切り欠きの列と係合する。ダイヤルを廻すと、それと係合しているスペーサも廻動し切り書きの位置が対応するボルト３０の屈曲部３３と外れるので、ばね３４に抗してボルトを図５において反時計方向に押し戻す。そのためボルト３０はダイヤル錠の作動により、回転中心３６を中心として揺動する。（ボルト３０の構成等については後述する。）
【００１０】
２６はダイヤル軸２２に嵌められたチェンジレバーであって、レバー２６をＤ方向に操作することによって、すべてのスペーサ２３をダイヤル軸用ばね２５に抗してＤ方向に押し、ダイヤル２１とスペーサ２３との係合を外す。そうすればダイヤル２１をスペーサと相対的に廻せるので、スペーサの切り欠きに対応する数字の位置を変更でき、暗証番号の変更を任意のダイヤルについて行うことができる。
【００１１】
ダイヤル錠２０に隣接してシグナル４０が設けられ、ボルト３０の揺動に応じて標示面４１が回動し、図１の窓８にダイヤル錠が鎖錠状態であるか、解放状態であるかを標示する。
【００１２】
図６はボルト３０の平面図、図７はＤ方向からみた端面図、図８はＦ方向からみた側面図、図９はシグナル４０の側面図、図１０はＡ方向からみた背面図、図１１はＢ方向からみた上面図、図１２はＣ方向からみた正面図、図１３はＤ方向からみた標示面を示す図である。
【００１３】
ボルト３０はダイヤル２１の通る孔３２を有し、中央部分が屈曲部３３に形成され、その屈曲部の突出部がスペーサ２３の切り欠け２４と係合するようになっている。ボルト３０の一端３６は回転中心としてブラケット６２、６３と係合している。（図３参照）その反対側は延長されてシグナルの操作部３１となっている。ボルト３０はボルト用ばね３４でダイヤル方向に付勢されているから、ダイヤル錠２０の操作でスペーサ２３の切り欠き２４が揃うとボルト３０の屈曲部３３の突出部が切り欠き２４中に入り、ボルト３０は回転中心３６を中心としてダイヤル２１の方向に揺動する。即ち図５において、回転中心３６を中心として時計方向に揺動する。
【００１４】
図１４は外箱６１の側面図、図１５は図１４のＢ−Ｂ断面図、図１６は図１４をＤ方向からみた側面図を示す。
【００１５】
シグナル４０は、標示面４１を有する標示部４２、支柱４３、４４、下向きの突出片４５、上向きの突出片４６、シグナル軸４７等から構成されている。シグナル軸４７はロック部外箱６１に設けられたシグナル軸取り付け部６４に取り付けられ、又上下に向いた突出片４５と４６間をボルト３０操作部３１が通っており、下向きの突出片４５は操作部３１の孔４７と嵌合している。（図４、図８参照）
【００１６】
それでダイヤル錠２０が解錠状態になり、スペーサ２３の切り欠き２４が揃うと、ボルト３０が前述の如く図５において時計方向に揺動し、図４に示すように、シグナル４０の突出片４５、４６の間を通っているボルト３０の操作部３１がシグナル４０を反時計方向に回動させ、シグナル標示部４２は外箱６１の切り欠き６５に嵌合する位置までくる。
【００１７】
またダイヤル錠２０を鎖錠するために、ダイヤル２１を廻すと、そのダイヤルと係合しているスペーサも廻り、その切り欠きと係合しているボルト３０の屈曲部の突出部も外れるので、スペーサの外周面により、ボルト３０は図５で反時計方向にボルト用ばね３４に抗して回動する。即ち図４ではボルト３０は時計方向に回動し、シグナル４０を時計方向に点線で示す位置まで回動させる。図１３に示すようにシグナル４０の標示面４１において、部分４１Ａと斜線を施した部分４１Ｂとの色を変えるとか、文字を記載することにより、図４において、標示体４２の位置により、窓８から見える部分が４１Ａか４１Ｂであるようにすれば、ダイヤル錠の状態を知ることができる。
【００１８】
図５において３５は板ばねであって、ダイヤルの位置決めを行い、又ダイヤルを廻した時クリック音を発する。また図３に示すようにダイヤル軸２２はロック部外箱６１内のブラケット６２、６３に支持されている。さらにスペーサ２３は常時ダイヤル用ばね２５によって、ダイヤル軸２２に形成されているフランジ２７に押し付けられている。前述の如くその時はダイヤル２１とスペーサ２３とは回転方向には係合している。そのためダイヤル２１を廻せば係合しているスペーサ２３も回動する。ダイヤル２１の数字の配列を暗証番号に合わせれば、スペーサ２３の切り欠け２４が揃うので前述の如くボルト３０がダイヤル側に揺動する。
【００１９】
前述の如く暗証番号の変更には、図３に示すように、チェンジレバー２６を矢印Ｄ方向に操作する。するとダイヤル軸２１のフランジ２７を押し、ダイヤル軸２１を凡てのスペーサ２３が図の右方に押され、ダイヤル２１とスペーサ２３との回転方向の係合が外れるので、任意のダイヤル２１を回動させてスペーサの切り欠きと対応する数字を変更することができる。そしてチェンジレバー２６をもとに戻せばダイヤル軸ばね２５によって、ダイヤル軸２２と凡てのスペーサ２３は図３に示すもとの位置に戻り暗証番号が変更された新しい配列になる。
【００２０】
サイドロック７の鎖錠、解錠はセンターロックであるダイヤル錠２０の鎖錠、解錠に連動して、任意の機構を介して行うことができる。
【００２１】
【発明の効果】
この発明のかばん用ダイヤル錠の標示装置は前記の如き構成であって、ダイヤル錠の機構を利用して簡単な構成でダイヤル錠の鎖錠又は解錠の状態を標示することができる。
【図面の簡単な説明】
【図１】この発明を適用したかばんの正面図
【図２】この発明の機構を示す上面図
【図３】図２のＡ−Ａ断面図
【図４】図２のＢ−Ｂ断面図
【図５】図２のＣ−Ｃ断面図
【図６】ボルトの平面図
【図７】図６をＤ方向からみた端面図
【図８】図６をＦ方向からみた側面図
【図９】シグナルの側面図
【図１０】図９をＡ方向からみた背面図
【図１１】図９をＢ方向からみた上面図
【図１２】図９をＣ方向からみた正面図
【図１３】図９をＤ方向からみた標示面を示す図
【図１４】外箱の側面図
【図１５】図１４のＢ−Ｂ断面図
【図１６】図１４をＤ方向からみた側面図
【符号の説明】
１　　かばん本体
２　　蓋
３　　ハンドル
４　　キャスタ
５　　ハンドル
６　　センターロック部
７　　サイドロック
８　　窓
１０　　かばん
２０　　ダイヤル錠
２１　　ダイヤル
２２　　ダイヤル軸
２３　　スペーサ
２４　　スペーサ切り欠き
２５　　ダイヤル軸ばね
２６　　チェンジレバー
２７　　ダイヤル軸のフランジ
３０　　ボルト
３１　　操作部
３２　　ダイヤルの通る孔
３３　　屈曲部
３４　　ボルト用ばね
３５　　板ばね
３６　　回転中心部
３７　　突出片の入る孔
４０　　シグナル
４１　　標示面
４２　　標示部
４３　　支柱
４４　　支柱
４５　　突出片
４６　　突出片
４７　　シグナル軸
６１　　ロック部外箱
６２　　ブラケット
６３　　ブラケット
６４　　シグナル軸取付部
６５　　外箱の切り欠き
７１　　プッシュレバー
【図１】
2004100323.tif 000003
【図２】
2004100323.tif 000004
【図３】
2004100323.tif 000005
【図４】
2004100323.tif 000006
【図５】
2004100323.tif 000007
【図６】
2004100323.tif 000008
【図７】
2004100323.tif 000009
【図８】
2004100323.tif 000010
【図９】
2004100323.tif 000011
【図１０】
2004100323.tif 000012
【図１１】
2004100323.tif 000013
【図１２】
2004100323.tif 000014
【図１３】
2004100323.tif 000015
【図１４】
2004100323.tif 000016
【図１５】
2004100323.tif 000017
【図１６】
2004100323.tif 000018